(57)【要約】【課題】製造コストを増大させることなく設置自由度の向上を図ること。【解決手段】自身に形成された搬送開口３５が収納設置面１に形成された収納開口１ａに連通する態様で収納設置面１に取り付けられた接続部材３０と、接続部材３０に配設され、かつ搬送路１０ａを通じて搬送された紙葉が搬送開口３５及び収納開口１ａを通過するよう案内するガイド機構５０とを備え、収納設置面１に配設された紙幣収納装置２に紙葉を送出して収納させる紙葉搬送装置であって、接続部材３０は、鉛直方向に沿って延在し、かつ自身の中心を軸心としてその軸心回りに回転することで搬送路１０ａの内部に配設された搬送走行体２３を走行させる搬送軸２０に軸受部材３６を介して搬送軸２０回りに変位可能となる態様で配設されることで、収納設置面１に対する搬送路１０ａの延在角度を可変としている。【選択図】図１
2015172902.tif 000002
【特許請求の範囲】
【請求項１】
自身に形成された搬送開口が収納設置面に形成された収納開口に連通する態様で該収納設置面に取り付けられた接続部材と、
前記接続部材に配設され、かつ搬送路を通じて搬送された紙葉が前記搬送開口及び前記収納開口を通過するよう案内するガイド機構と
を備え、
前記収納設置面に配設された紙葉収納装置に紙葉を送出して収納させる紙葉搬送装置であって、
前記接続部材は、鉛直方向に沿って延在し、かつ自身の中心を軸心としてその軸心回りに回転することで前記搬送路の内部に配設された搬送走行体を走行させる搬送軸に軸受部材を介して該搬送軸回りに変位可能となる態様で配設されることで、前記収納設置面に対する前記搬送路の延在角度を可変としたことを特徴とする紙葉搬送装置。
【請求項２】
前記ガイド機構は、自身に形成された突片が前記搬送路を構成する搬送ガイドに形成されたスリットに進入した形態で該搬送ガイドに係合し、かつ該搬送ガイドとともに形成する円弧状搬送部分の延在長さを可変とした送出ガイドを備えたことを特徴とする請求項１に記載の紙葉搬送装置。
【発明の詳細な説明】
【技術分野】
【０００１】
本発明は、紙葉搬送装置に関し、より詳細には、搬送路を通じて搬送された紙幣等の紙葉を、紙葉収納装置に送出して収納させる装置に関するものである。
【背景技術】
【０００２】
複数の遊技機を並設した遊技機列を備える遊技島では、遊技機の間に設けられた遊技媒体貸出機から投入される紙幣の回収作業を容易化するため、遊技機の背面側に搬送装置を設けるようにしている。搬送装置は、遊技媒体貸出機の背面を通過するように構成された搬送路を備えたもので、搬送路の下流端部が遊技島の端部に設置された紙幣収納装置に接続されている（例えば、特許文献１参照）。ここで搬送路は、例えば搬送チェーンの駆動によって紙幣を下流に搬送させるものである。遊技島に設けられる搬送装置では、紙幣を横長起立姿勢で搬送するように構成されているのが一般的である。また、上記搬送装置においては、上記搬送路と、紙幣収納装置を設置する収納設置面とが直角となるのが一般的である。
【先行技術文献】
【特許文献】
【０００３】
【特許文献１】特開２０１１−１０７９８０号公報
【発明の概要】
【発明が解決しようとする課題】
【０００４】
ところが、上述した搬送装置においては、搬送路と収納設置面とが直角であったために、次のような問題があった。
【０００５】
近年、遊技機を設置した店舗では、他の店舗との差別化を図るために、遊技機を直線上に設置するだけでなく、カーブさせて設置させることがある。このような場合、搬送路と収納設置面とが直角なものとならないため、上述した搬送装置を適用する際に、紙幣収納装置の紙幣入口を有する面が搬送路に対して直交するようスペーサを介在させて紙幣収納装置を収納設置面に配設したり、搬送路の途中に搬送方向を変更する可変搬送路を配設したりする必要があり、部品点数の増大による製造コストの増大化を招来していた。
【０００６】
本発明は、上記実情に鑑みて、製造コストを増大させることなく設置自由度の向上を図ることができる紙幣搬送装置を提供することを目的とする。
【課題を解決するための手段】
【０００７】
上記目的を達成するため、本発明に係る紙葉搬送装置は、自身に形成された搬送開口が収納設置面に形成された収納開口に連通する態様で該収納設置面に取り付けられた接続部材と、前記接続部材に配設され、かつ搬送路を通じて搬送された紙葉が前記搬送開口及び前記収納開口を通過するよう案内するガイド機構とを備え、前記収納設置面に配設された紙葉収納装置に紙葉を送出して収納させる紙葉搬送装置であって、前記接続部材は、鉛直方向に沿って延在し、かつ自身の中心を軸心としてその軸心回りに回転することで前記搬送路の内部に配設された搬送走行体を走行させる搬送軸に軸受部材を介して該搬送軸回りに変位可能となる態様で配設されることで、前記収納設置面に対する前記搬送路の延在角度を可変としたことを特徴とする。
【０００８】
また本発明は、上記紙葉搬送装置において、前記ガイド機構は、自身に形成された突片が前記搬送路を構成する搬送ガイドに形成されたスリットに進入した形態で該搬送ガイドに係合し、かつ該搬送ガイドとともに形成する円弧状搬送部分の延在長さを可変とした送出ガイドを備えたことを特徴とする。
【発明の効果】
【０００９】
本発明によれば、接続部材が搬送軸に軸受部材を介して該搬送軸回りに変位可能となる態様で配設されることで収納設置面に対する搬送路の延在角度を可変としたので、従来のようにスペーサ等の部品を必要とせずに部品点数の増大化を抑制でき、これにより、製造コストを増大させることなく設置自由度の向上を図ることができるという効果を奏する。
【図面の簡単な説明】
【００１０】
【図１】図１は、本発明の実施の形態である紙葉搬送装置（紙幣搬送装置）の要部を示した平面図である。
【図２】図２は、図１に示した紙幣搬送装置の要部を前方から見た場合を示す正面図である。
【図３】図３は、図１及び図２に示した接続部材を示す斜視図である。
【図４】図４は、図３に示した接続部材に配設されるガイド機構を示す斜視図である。
【図５】図５は、図３に示した接続部材に配設されるガイド機構を示す右側面図である。
【図６】図６は、図４及び図５に示したガイド機構を構成する送出ガイドの斜視図である。
【図７】図７は、本発明の実施の形態である紙幣搬送装置の要部の平面図である。
【図８】図８は、図７に示した状態におけるガイド機構を示す斜視図である。
【図９】図９は、図７に示した状態におけるガイド機構を示す右側面図である。
【図１０】図１０は、第２送出ガイドの斜視図である。
【図１１】図１１は、本発明の実施の形態である紙幣搬送装置の要部の平面図である。
【図１２】図１２は、図１１に示した状態におけるガイド機構を示す斜視図である。
【図１３】図１３は、図１１に示した状態におけるガイド機構を示す右側面図である。
【発明を実施するための形態】
【００１１】
以下、添付図面を参照しながら本発明に係る紙葉搬送装置の好適な実施の形態について詳細に説明する。
【００１２】
図１は、本発明の実施の形態である紙葉搬送装置の要部を示した平面図である。ここで例示する紙葉搬送装置は、遊技島において複数の紙幣投入処理機から投入された紙幣を、遊技島の端部における収納設置面１に配設された紙幣収納装置（紙葉収納装置）２に一括して収納すべく搬送する装置（以下、「紙幣搬送装置」という）として用いられるものである。収納設置面１には収納開口１ａが形成されている。かかる紙幣搬送装置は、支持部材１０と接続部材３０とを備えて構成されている。
【００１３】
支持部材１０は、搬送路１０ａの一部を構成するもので、例えば板金を屈曲加工等して形成されたものである。ここで搬送路１０ａは、１つの遊技島における遊技機列の相互間に確保されたスペースに配設されるものであり、図１の例では搬送路１０ａの延在角度は、収納設置面１に対して直交している。
【００１４】
上記支持部材１０は、図２に示すように、上面１１及び下面１２にて軸受部材（図示せず）を介して搬送軸２０を支持するものである。搬送軸２０は、鉛直方向に沿って延在するものであり、モータ等の駆動機構２１により駆動力が伝達されることで自身の中心を軸心としてその軸心回りに回転可能なものである。この搬送軸２０の中央部分には、スプロケット２２が配設されている。スプロケット２２は、詳細は明示しないが、無端状に張設された搬送走行体２３の一部と噛み合い、該搬送走行体２３を走行させるものである。搬送走行体２３は、搬送路１０ａの内部に配設されており、搬送軸２０の回転により走行することで搬送路１０ａの内部に設定された図示せぬ搬送ガイド面との間で紙幣を挟んだ状態にして紙幣の搬送を行うものである。
【００１５】
また、上記支持部材１０の上面１１には、搬送軸２０を中心として円弧状に延在する複数（図示の例では２つ）の長孔１１ａが形成されている。また、支持部材１０の下面１２にも、図には明示しないが、上面１１に形成された長孔１１ａの対応箇所に同形状の長孔が形成されている。
【００１６】
接続部材３０は、図３にも示すように、第１接続板金３０ａと第２接続板金３０ｂとを備えて構成されている。
【００１７】
第１接続板金３０ａは、上面３１及び下面３２が右側面３３を介して連結されて形成されており、上面３１及び下面３２の互いに対応する箇所には、多角形状（図示の例では８角形状）の貫通孔３１ａ，３２ａが形成されている。また、上面３１の前端部分には上方に向けて延在する上延部３１ｂが形成されており、下面３２の前端部分には下方に向けて延在する下延部３２ｂが形成されている。
【００１８】
第２接続板金３０ｂは、上下方向に沿って延在する長尺状のものであり、その前端部分の中央領域に左方に向けて突出する舌片状の取付片３４が設けられている。この第２接続板金３０ｂは、その上端部分及び下端部分が第１接続板金３０ａの上面３１及び下面３２の左端部に取り付けられている。このように第２接続板金３０ｂが第１接続板金３０ａに取り付けられることで、接続部材３０には、前方側において矩形状の搬送開口３５が形成されている。
【００１９】
このような接続部材３０は、第１接続板金３０ａの上面３１が支持部材１０の上面１１の下方側に位置し、第１接続板金３０ａの下面３２が支持部材１０の下面１２の上方側に位置した状態で、各貫通孔３１ａ，３２ａにベアリング等の軸受部材３６を介して上記搬送軸２０を貫通させている。
【００２０】
そして、接続部材３０は、第１接続板金３０ａの上面３１及び下面３２に形成されたネジ孔３１ｃ，３２ｃに支持部材１０の長孔１１ａを貫通する雄ネジ４０が進入して互いに螺合することで該支持部材１０に係合されている。これにより、接続部材３０は、搬送軸２０回りに変位可能であるとともに、支持部材１０に対して長孔１１ａの延在長さの分だけ相対的に変位可能な態様で配設されている。
【００２１】
上記接続部材３０には、図４及び図５に示すようなガイド機構５０が配設されている。ガイド機構５０は、送出ガイド５０ａと誘導ガイド５０ｂとを備えて構成されている。
【００２２】
送出ガイド５０ａは、例えば樹脂材等により形成されるもので、図６にも示すように、上面５１と下面５２との間の中央部５３が湾曲状を成している。この送出ガイド５０ａは、中央部５３より左方に向けて突出する舌片状の固定片５４が第２接続板金３０ｂの取付片３４の前方側に位置した状態でビス等により取り付けられて固定されている。また、送出ガイド５０ａの前端部分は、搬送開口３５を通過して前方側に突出している。
【００２３】
送出ガイド５０ａの中央部５３の内壁面には、複数（例えば４つ）の突片５３ａが上下に所定間隔毎に形成されている。これら突片５３ａは、上記搬送路１０ａを構成し、かつ支持部材１０に支持される搬送ガイド２４に形成されたスリット２４ａに進入しており、これにより送出ガイド５０ａは、搬送ガイド２４に係合している。このような送出ガイド５０ａは、搬送ガイド２４とともに円弧状搬送部分６０を形成している。
【００２４】
誘導ガイド５０ｂは、例えば樹脂材等により形成されるもので、送出ガイド５０ａと対となるものである。この誘導ガイド５０ｂは、上面５５の左端部分に形成された取付部５５ａと、下面５６の左端部分に形成された取付部５６ａとが第２接続板金３０ｂを介して第１接続板金３０ａに取り付けられることで配設されている。
【００２５】
このような誘導ガイド５０ｂは、前端部分が送出ガイド５０ａの前端部分とともに矩形状の搬出口６０ａを形成している。また、誘導ガイド５０ｂは、誘導片５７が上下の２箇所に形成されている。誘導片５７は、後方に向けて延在した後に右方に向けて湾曲した形状を成しており、搬送路１０ａを通過して搬送ガイド２４まで至った紙幣を円弧状搬送部分６０に誘導するものである。
【００２６】
このようなガイド機構５０を有する接続部材３０は、第１接続板金３０ａの上延部３１ｂ及び下延部３２ｂが収納設置面１に締結部材を介して締結されることで、搬送開口３５が収納開口１ａに連通する態様で収納設置面１に取り付けられている。そのため、送出ガイド５０ａと誘導ガイド５０ｂとにより形成される搬出口６０ａも収納開口１ａに連通している。
【００２７】
以上のような構成を有する紙幣搬送装置においては、駆動機構２１により駆動力が伝達されることにより搬送軸２０が回転すると、搬送走行体２３が走行し、これにより搬送路１０ａを紙幣が横長起立姿勢で搬送される。搬送路１０ａを搬送された紙幣は、その後に誘導ガイド５０ｂの誘導片５７により円弧状搬送部分６０に至って誘導ガイド５０ｂと送出ガイド５０ａとの間を通過し、そして、搬出口６０ａから送出されることで、搬送開口３５及び収納開口１ａを通過して紙幣収納装置２に収納される。
【００２８】
そして、上記紙幣搬送装置では、接続部材３０が搬送軸２０回りに変位可能であるとともに、支持部材１０に対して長孔１１ａの延在長さの分だけ相対的に変位可能な態様で配設されているので、次のように搬送路１０ａを変位させることができる。
【００２９】
すなわち、図７に示すように、支持部材１０を含む搬送路１０ａを搬送軸２０を中心として時計回りに所定角度だけ変位させることができる。より詳細には、支持部材１０の長孔１１ａを貫通した状態で接続部材３０のネジ孔３１ｃ，３２ｃに螺合する雄ネジ４０を回転させて該ネジ孔３１ｃ，３２ｃとの噛み合いを緩め、接続部材３０は収納設置面１に取り付けられているから、支持部材１０を搬送路１０ａとともに所定角度だけ変位させ、その後に雄ネジ４０をネジ孔３１ｃ，３２ｃに螺合させればよい。これにより収納設置面１に対する搬送路１０ａの延在角度を変更させることができる。
【００３０】
この場合において、ガイド機構５０においては、図８及び図９に示すように、送出ガイド５０ａの突片５３ａが搬送ガイド２４のスリット２４ａに進入した状態で互いの位置が相対的に変位し、送出ガイド５０ａと搬送ガイド２４とで形成する円弧状搬送部分６０の延在長さを長大化させることができる。つまり、送出ガイド５０ａは、搬送ガイド２４と形成する円弧状搬送部分６０の延在長さを可変とするものである。
【００３１】
このように設置された紙幣搬送装置においても、駆動機構２１により駆動力が伝達されることにより搬送軸２０が回転すると、搬送走行体２３が走行し、これにより搬送路１０ａを紙幣が横長起立姿勢で搬送される。搬送路１０ａを搬送された紙幣は、その後に誘導ガイド５０ｂの誘導片５７により円弧状搬送部分６０に至って誘導ガイド５０ｂと送出ガイド５０ａとの間を通過し、そして、搬出口６０ａから送出されることで、搬送開口３５及び収納開口１ａを通過して紙幣収納装置２に収納される。
【００３２】
また、本発明の実施の形態である紙幣搬送装置においては、上記送出ガイド５０ａの代わりに図１０に示すような第２送出ガイド５０ａ′を用いてガイド機構５０′を構成するようにしてもよい。
【００３３】
第２送出ガイド５０ａ′は、上記送出ガイド５０ａと同様に、例えば樹脂材等により形成されるもので、上面５１′と下面５２′との間の中央部５３′が湾曲状を成している。この第２送出ガイド５０ａ′は、上記送出ガイド５０ａに対して中央部５３′の延在方向及び長さが異なるものである。
【００３４】
そして、第２送出ガイド５０ａ′の中央部５３′の内壁面には、複数（例えば４つ）の突片５３ａ′が上下に所定間隔毎に形成されている。これら突片５３ａ′は、搬送ガイド２４に形成されたスリット２４ａに進入しており、これにより第２送出ガイド５０ａ′は、搬送ガイド２４に係合している。このような第２送出ガイド５０ａ′は、搬送ガイド２４とともに円弧状搬送部分６０′を形成している。
【００３５】
このような第２送出ガイド５０ａ′を用いた紙幣搬送装置では、図１１に示すように、図１の状態に対して支持部材１０を含む搬送路１０ａを搬送軸２０を中心として反時計回りに所定角度だけ変位させることができる。より詳細には、支持部材１０の長孔１１ａを貫通した状態で接続部材３０のネジ孔３１ｃ，３２ｃに螺合する雄ネジ４０を回転させて該ネジ孔３１ｃ，３２ｃとの噛み合いを緩め、接続部材３０は収納設置面１に取り付けられているから、支持部材１０を搬送路１０ａとともに所定角度だけ変位させ、その後に雄ネジ４０をネジ孔３１ｃ，３２ｃに螺合させればよい。これにより収納設置面１に対する搬送路１０ａの延在角度を変更させることができる。
【００３６】
この場合において、ガイド機構５０′においては、図１２及び図１３に示すように、第２送出ガイド５０ａ′の突片５３ａ′が搬送ガイド２４のスリット２４ａに進入した状態で互いの位置が相対的に変位し、第２送出ガイド５０ａ′と搬送ガイド２４とで形成する円弧状搬送部分６０′の延在長さを可変させることができる。
【００３７】
このように設置された紙幣搬送装置においても、駆動機構２１により駆動力が伝達されることにより搬送軸２０が回転すると、搬送走行体２３が走行し、これにより搬送路１０ａを紙幣が横長起立姿勢で搬送される。搬送路１０ａを搬送された紙幣は、その後に誘導ガイド５０ｂの誘導片５７により円弧状搬送部分６０′に至って誘導ガイド５０ｂと送出ガイド５０ａとの間を通過し、そして、搬出口６０ａ′から送出されることで、搬送開口３５及び収納開口１ａを通過して紙幣収納装置２に収納される。
【００３８】
以上説明したように、本実施の形態である紙幣搬送装置によれば、接続部材３０が搬送軸２０回りに変位可能となる態様で配設されることで収納設置面１に対する搬送路１０ａの延在角度を可変としたので、従来のようにスペーサ等の部品を必要とせずに部品点数の増大化を抑制でき、これにより、製造コストを増大させることなく設置自由度の向上を図ることができる。
【００３９】
上記紙幣搬送装置によれば、ガイド機構５０（５０′）を構成する送出ガイド５０ａが、突片５３ａ（５３ａ′）が搬送ガイド２４に形成されたスリット２４ａに進入した形態で該搬送ガイド２４に係合し、かつ該搬送ガイド２４とともに形成する円弧状搬送部分６０（６０′）の延在長さを可変としたので、これによっても設置自由度の向上を図ることができる。
【００４０】
以上、本発明の好適な実施の形態について説明したが、本発明はこれに限定されるものではなく、種々の変更を行うことができる。
【００４１】
上述した実施の形態では、接続部材３０が第１接続板金３０ａと第２接続板金３０ｂとにより構成されていたが、本発明においては、接続部材は、搬送開口が形成され、かつ収納設置面に取り付けられるものであれば、その形態等については特に限定されるものではない。
【符号の説明】
【００４２】
１  収納設置面
１ａ  収納開口
２  紙幣収納装置（紙葉収納装置）
１０  支持部材
１０ａ  搬送路
１１  上面
１１ａ  長孔
１２  下面
２０  搬送軸
２１  駆動機構
２２  スプロケット
２３  搬送走行体
２４  搬送ガイド
２４ａ  スリット
３０  接続部材
３０ａ  第１接続板金
３０ｂ  第２接続板金
３１  上面
３２  下面
３３  右側面
３５  搬送開口
３６  軸受部材
４０  雄ネジ
５０  ガイド機構
５０ａ  送出ガイド
５０ｂ  誘導ガイド
５３ａ  突片
５７  誘導片
６０  円弧状搬送部分
６０ａ  搬出口
【図１】
2015172902.tif 000003
【図２】
2015172902.tif 000004
【図３】
2015172902.tif 000005
【図４】
2015172902.tif 000006
【図５】
2015172902.tif 000007
【図６】
2015172902.tif 000008
【図７】
2015172902.tif 000009
【図８】
2015172902.tif 000010
【図９】
2015172902.tif 000011
【図１０】
2015172902.tif 000012
【図１１】
2015172902.tif 000013
【図１２】
2015172902.tif 000014
【図１３】
2015172902.tif 000015